(57)【要約】【課題】脱落しにくい構造で品質の強固性がある予め成型された歯間ブラシ構造を提供する。【解決手段】把柄の保護体１を備え、少なくとも中間に外へ連接挿通した設置空間１１が設けられ、設置空間１１の中間の横に横隔板１２が設けられ、横隔板１２に定位孔１４が設けられ、把柄の保護体１の一端に設置空間１１に挿通した軸方向に伸びる挿通孔が設けられ、刷毛体２を備え、ワイヤ２１の一端周縁に複数の発射状を呈するブラシ２２を設け、ワイヤ２１の他端は挿通孔を介して設置空間１１に挿通され、ワイヤ２１の端部は横隔板１２の定位孔１４に挿通された後捻られてカシメ部２３を形成し、射出されたフィラメントは把柄の保護体１の設置空間１１を覆い、把柄の保護体１を一体化させて把柄を形成し、射出されたフィラメントでカシメ部２３を覆って固定する。【選択図】図２
0003122169.tif 000002
【実用新案登録請求の範囲】
【請求項１】
把柄の保護体を備え、中間に少なくとも外へ連接挿通した設置空間が設けられ、前記把柄の保護体の一端に前記設置空間に挿通した軸方向に伸びる挿通孔が設けられ、
刷毛体を備え、ワイヤの一端周縁に複数の発射状を呈するブラシを設け、前記ワイヤの他端は前記挿通孔を介して前記設置空間に挿通され、捻られてカシメ部を形成し、
射出フィラメントを備え、射出フィラメントは前記把柄の保護体の設置空間を覆い、前記把柄の保護体を一体化させて把柄を形成し、前記射出フィラメントで前記カシメ部を覆って固定することで前記刷毛体の脱落を防止して形成されていることを特徴とする予め成型された歯間ブラシ構造。
【請求項２】
前後挿通する設置空間が前記把柄の中端に設けられることを特徴とする請求項１に記載の予め成型された歯間ブラシ構造。
【請求項３】
前記把柄の保護体は二つの相称する半断面の把柄であって、相対して組み合うことを特徴とする請求項１又は２に記載の予め成型された歯間ブラシ構造。
【請求項４】
前記把柄の保護体は柱状の把柄で構成されることを特徴とする請求項１又は２に記載の予め成型された歯間ブラシ構造。
【請求項５】
前記設置空間の中間の横に横隔板が設けられて前記横隔板に定位孔が設けられることを特徴とする請求項１又は２に記載の予め成型された歯間ブラシ構造。
【請求項６】
前記ワイヤの端部は前記横隔板の定位孔に挿通された後、捻られてカシメ部を形成することを特徴とする請求項５に記載の予め成型された歯間ブラシ構造。
【考案の詳細な説明】
【技術分野】
【０００１】
本考案は、予め成型された歯間ブラシ構造であって、特に構造が簡単で、連結が堅固な歯間ブラシ構造に関する。
【背景技術】
【０００２】
伝統で簡単な歯間ブラシの構造は、予めワイヤの一端の周縁に人造繊維を材質としたブラシが設けられるだけではなく、握りやすくするために、よく歯間ブラシのワイヤの他端は把柄と結び付けられ、当該把柄は直接プラスチックで当該歯間ブラシのワイヤの端部から伸び出て成型されるか、或いは予め当該把柄を成型して、ゴムがくっつく方式でワイヤの端部と連結することで、使用者が握りやすい構造に形成される。
【０００３】
しかしながら、もし前記把柄はゴムがくっつく方式で当該ブラシのワイヤの端部と連結すれば、加工に簡単となるが、二つ間の連結強固性が低くなり脱落しやすいので、使用している時、把柄とワイヤとが連結する箇所が断裂やすいため、製品の品質に対して厳重な欠点が生じる。これにより、それはだんだん関連業者に無視された。直接当該ワイヤの端部から射出されて成型していれば、好ましい連結強固性を有するが、当該把柄はワイヤの周縁を覆って、ワイヤの表面と接触している面積は限定され偶は歯間を清掃する力を受けにくいので、破断してしまうといった問題を生じる。そのため、把柄は当該ブラシによるワイヤの端部と連結する力の強さを有効に上昇させること、使用中に破断してしまうといった状況と歯間ブラシ全体品質の向上は関連業者にとって努力する課題となる。
【考案の開示】
【考案が解決しようとする課題】
【０００４】
本考案は歯間ブラシの構造における欠点に鑑みてなされたものであり、考案者はこの欠点に対して研究改良して、本考案を創作していた。
本考案の主な目的は、予め成型された歯間ブラシ構造を提供して、刷毛体と把柄間の連結を極めてしっかりし、脱落しにくい構造で品質の強固性を確認させることである。
【課題を解決するための手段】
【０００５】
本考案の前記目的及び効果を達するために、用いられる技術手段は、把柄の保護体を備え、それは少なくとも中間に外へ連接挿通した設置空間が設けられ、前記設置空間の中間の横に横隔板が設けられ、前記横隔板に定位孔が設けられ、前記把柄の保護体の一端に前記設置空間に挿通した軸方向に伸びる挿通孔が設けられ、刷毛体を備え、ワイヤの一端周縁に複数の発射状を呈するブラシを設け、前記ワイヤの他端は前記挿通孔を介して前記設置空間に挿通され、前記ワイヤの端部は前記横隔板の定位孔に挿通された後、捻られてカシメ部を形成し、フィラメントを射出して、射出されたフィラメントは前記把柄の保護体の設置空間を覆い、前記把柄の保護体を一体化させて把柄を形成し、前記射出されたフィラメントで前記カシメ部を覆って固定することで、前記刷毛体と把柄とが≡落しないように形成される。
本考案の上記記載と他の目的、特徴及び効果は、下記の図面と詳細な説明を参照して完全に理解できる。
【考案を実施するための最良の形態】
【０００６】
本考案の第一実施例による歯間ブラシの主な構造は、図１に示す分解斜視図、図２から図４に示す各々の組み合せた状態を示す斜視図及び断面図、及び図５から図７に示す各々の組み合せ動作を示す断面図を参照することで、はっきり見えて、把柄１、刷毛体２、及び射出されたフィラメント３を備える。把柄１の中端に前後挿通する設置空間１１が設けられ、設置空間１１の中間の横に横隔板１２が設けられ、横隔板１２に定位孔１４が設けられ、把柄の保護体１の一端に設置空間１１に挿通した軸方向に伸びる挿通孔１３が設けられ、挿通孔１３は定位孔１４に相対することができる。刷毛体２はワイヤ２１の一端周縁に複数の発射状を呈するブラシ２２が設けられ、ワイヤ２１の他端は挿通孔１３を介して設置空間１１に挿通され、ワイヤ２１の端部は横隔板１２の定位孔１４に挿通された後、捻られてカシメ部２３を形成する。フィラメント３は二回の射出成型の加工方式で把柄の保護体１の設置空間１１に挟持され、把柄の保護体１に一体化させて把柄１０を形成する。刷毛体２のカシメ部２３は射出されたフィラメント３で覆われて固定されることで、刷毛体２と把柄１０が≡落しないように形成される。
【０００７】
本考案の第二実施例による歯間ブラシの主な構造は、図８から図１０に示す分解斜視図及び斜視図、図１１から図１４に示す各々の組み合せ動作を示す断面図を参照することで、はっきり見えて、把柄の保護体４、刷毛体２、及び射出されたフィラメント３を備える。把柄の保護体４は二つの相称する半断面の把柄４１、４２が相対して組み合い、把柄４１、４２はそれぞれ平直な結合面４１５、４２５が設けられ、結合面４１５、４２５の中央にそれぞれ他側へ向って挿通した設置空間４１１、４２１が設けられ、設置空間４１１、４２１の中央に横隔板４１２、４２２が設けられ、横隔板４１２、４２２は結合面４１５、４２５近傍の側に外へ挿通したそれぞれ長形の凹槽４１３、４２３が設けられる。
【０００８】
組み合せる時、半断面の把柄４１、４２はそれぞれ結合面４１５、４２５で相対して組み合い、長形の凹槽４１３、４２３にちゃんと刷毛体２のワイヤ２１を挟んで、凹口４１４、４２４はワイヤ２１の端部を挟み、ワイヤ２１の端部は捻られてカシメ部２３を形成した後、フィラメント３は二回の射出成型の加工方式で把柄の保護体４の設置空間４１１、４２１に挟持されて、射出されたフィラメント３で半断面の把柄４１、４２を一体化した把柄４０を形成し、刷毛体２のカシメ部２３は射出されたフィラメント３で覆われて固定されることで、刷毛体２と把柄４０とが≡落しないように形成される。
【０００９】
前記の記載で、本考案の実施例の予め成型された歯間ブラシ構造は、確かに構造が簡単で、組み合せがしっかりしており、産業上の利用性、新規性及び進歩性があることを分かった。
また、前記の記載は、本考案の好ましい実施形態を示して説明したが、上述した実施形態にのみ限定されるものではなく、本考案の請求項に基づく種々の構成変更実施は本考案の請求範囲に属する。
【図面の簡単な説明】
【００１０】
【図１】本考案の第一実施例による歯間ブラシの分解斜視図である。
【図２】本考案の第一実施例による歯間ブラシの部分的に組み合せた状態を示す斜視図である。
【図３】本考案の第一実施例による歯間ブラシの全体を組み合せた状態を示す斜視図である。
【図４】本考案の第一実施例による歯間ブラシの組み合せた状態を示す断面図である。
【図５】本考案の第一実施例による歯間ブラシの組み合せ動作を示す断面図である。
【図６】本考案の第一実施例による歯間ブラシの組み合せ動作を示す断面図である。
【図７】本考案の第一実施例による歯間ブラシの組み合せ動作を示す断面図である。
【図８】本考案の第二実施例による歯間ブラシの分解斜視図である。
【図９】本考案の第二実施例による歯間ブラシの部分的に組み合せた状態を示す斜視図である。
【図１０】本考案の第二実施例による歯間ブラシの全体を組み合せた状態を示す斜視図である。
【図１１】本考案の第二実施例による歯間ブラシの組み合せ動作を示す断面図である。
【図１２】本考案の第二実施例による歯間ブラシの組み合せ動作を示す断面図である。
【図１３】本考案の第二実施例による歯間ブラシの組み合せ動作を示す断面図である。
【図１４】本考案の第二実施例による歯間ブラシの組み合せ動作を示す断面図である。
【符号の説明】
【００１１】
１、４  把柄の保護体、１０、４０  把柄、１１、４１１、４２１  設置空間、１２、４１２、４２２  横隔板、１３  挿通孔、１４  定位孔、２  刷毛体、２１  ワイヤ、２２  ブラシ、２３カシメ部、３射出されたフィラメント、４１、４２  半断面の把柄、４１３、４２３  長形の凹槽、４１４、４２４  凹口、４１５、４２５  結合面
【図１】
0003122169.tif 000003
【図２】
0003122169.tif 000004
【図３】
0003122169.tif 000005
【図４】
0003122169.tif 000006
【図５】
0003122169.tif 000007
【図６】
0003122169.tif 000008
【図７】
0003122169.tif 000009
【図８】
0003122169.tif 000010
【図９】
0003122169.tif 000011
【図１０】
0003122169.tif 000012
【図１１】
0003122169.tif 000013
【図１２】
0003122169.tif 000014
【図１３】
0003122169.tif 000015
【図１４】
0003122169.tif 000016